(57)【要約】【課題】合成画像を形成する際に、ユーザーの利便性を向上させることができる合成画像形成システムを提供する。【解決手段】合成画像形成システム２４は、原稿の画像データに対して、取得した画像データを合成して合成画像を形成する。合成画像形成システム２４は、画像を形成する複合機１１と、ペン型端末４１と、ウェアラブル端末３１とを含む。複合機１１は、画像読み取り部１４と、複合機通信部１９と、画像データ合成部２５と、画像形成部１５とを備える。画像読み取り部１４は、原稿の画像データを読み取り原稿画像データとして読み取る。複合機通信部１９は、ウェアラブル端末通信部３５により送信された輪郭画像データ、および軌跡画像データを受信する。画像データ合成部２５は、画像読み取り部１４により読み取られた読み取り原稿画像データに、複合機通信部１９により受信した輪郭画像データに基づいて軌跡画像データを合成する。【選択図】図２
2017200145.tif 000002
【特許請求の範囲】
【請求項１】
原稿の画像データに対して、取得した画像データを合成して合成画像を形成する合成画像形成システムであって、
画像を形成する画像形成装置と、
ユーザーの操作によって前記原稿上に画像の軌跡を描くことができるペン型端末と、
前記画像形成装置と通信可能であって、前記ユーザーに装着されてユーザーの視界の情報を取得するウェアラブル端末とを含み、
前記ウェアラブル端末は、
前記ユーザーの視界の情報のうち、原稿の輪郭を輪郭画像データとして取得し、前記原稿上に描かれた前記ペン型端末による画像の軌跡を軌跡画像データとして取得するウェアラブル端末画像データ取得部と、
前記ウェアラブル端末画像データ取得部により取得された前記輪郭画像データ、および前記軌跡画像データを前記画像形成装置に送信するウェアラブル端末送信部とを備え、
前記画像形成装置は、
前記原稿の画像データを読み取り原稿画像データとして読み取る画像読み取り部と、
前記ウェアラブル端末送信部により送信された前記輪郭画像データ、および前記軌跡画像データを受信する受信部と、
前記画像読み取り部により読み取られた前記読み取り原稿画像データに、前記受信部により受信した前記輪郭画像データに基づいて、前記軌跡画像データを合成する画像データ合成部と、
前記画像データ合成部により合成された前記合成画像データを出力する出力部とを備える、合成画像形成システム。
【請求項２】
前記ウェアラブル端末画像データ取得部は、前記ユーザーの視界の情報のうち、前記輪郭画像データと共に前記原稿の画像データを取得原稿画像データとして取得し、
前記ウェアラブル端末送信部は、前記ウェアラブル端末画像データ取得部により取得された前記取得原稿画像データを送信し、
前記受信部は、前記ウェアラブル端末送信部により送信された前記取得原稿画像データを受信し、
前記画像データ合成部は、前記受信部により受信された前記取得原稿画像データと、前記読み取り原稿画像データとをマッチングさせて、前記軌跡画像データを合成する、請求項１に記載の合成画像形成システム。
【請求項３】
前記ペン型端末の先端部には、光を発する発光部が設けられており、
前記ウェアラブル端末画像データ取得部は、前記発光部による光の軌跡を、前記軌跡画像データとして取得する、請求項１または２に記載の合成画像形成システム。
【請求項４】
前記ウェアラブル端末画像データ取得部は、前記ペン型端末の先端の動きを、前記軌跡画像データとして取得する、請求項１または２に記載の合成画像形成システム。
【請求項５】
前記出力部は、用紙に画像を形成して印刷する画像形成部を含む、請求項１〜４のいずれか１項に記載の合成画像形成システム。
【請求項６】
前記ウェアラブル端末は、前記ユーザーの頭部に装着されるメガネ型ウェアラブル端末を含む、請求項１〜５のいずれか１項に記載の合成画像形成システム。
【請求項７】
原稿の画像データに対して、取得した画像データを合成して合成画像を形成する合成画像形成システムであって、
画像を形成する画像形成装置と、
前記画像形成装置と通信可能であって、ユーザーの操作によって前記原稿上に画像の軌跡を描くことができるペン型端末と、
前記画像形成装置と通信可能であって、前記ユーザーに装着されてユーザーの視界の情報を取得するウェアラブル端末とを含み、
前記ペン型端末は、
前記ペン型端末の動きの軌跡を軌跡画像データとして取得するペン型端末装置画像データ取得部と、
前記ペン型端末画像データ取得部により取得された前記軌跡画像データを前記画像形成装置に送信するペン型端末送信部とを備え、
前記ウェアラブル端末は、
前記ユーザーの視界の情報のうち、前記原稿の輪郭を輪郭画像データとして取得するウェアラブル端末画像データ取得部と、
前記ウェアラブル端末画像データ取得部により取得された前記輪郭画像データを前記画像形成装置に送信するウェアラブル端末送信部とを備え、
前記画像形成装置は、
前記原稿の画像データを読み取り原稿画像データとして読み取る画像読み取り部と、
前記ペン型端末送信部により送信された前記軌跡画像データ、および前記ウェアラブル端末送信部により送信された前記輪郭画像データを受信する受信部と、
前記画像読み取り部により読み取られた前記読み取り原稿画像データに、前記受信部により受信した前記輪郭画像データに基づいて、前記受信部により受信した前記軌跡画像データを前記読み取り原稿画像データに合成する画像データ合成部と、
前記画像データ合成部により合成された前記合成画像データを出力する出力部とを備える、合成画像形成システム。
【発明の詳細な説明】
【技術分野】
【０００１】
この発明は、合成画像形成システムに関するものである。
【背景技術】
【０００２】
複合機に代表される画像形成装置においては、画像形成部に備えられる感光体に対して画像データを基に光を照射し、感光体上に静電潜像を形成する。その後、形成した静電潜像の上に帯電したトナーを供給して可視画像とした後、可視画像を用紙に転写する。そして、用紙上のトナーを画像形成装置に備えられる定着装置によって用紙に定着させる。その後、トナーが定着された用紙を装置外に排出する。
【０００３】
ここで、画像形成の際に手で書いた手書き画像を既存の画像に合成する技術が、特開２０１４−２３９２８０号公報（特許文献１）、および特開２００６−４１９４７号公報（特許文献２）に開示されている。
【０００４】
特許文献１に開示の画像形成装置は、操作が入力される操作部と、表示部と、プレビュー画像生成手段と、手書き画像生成手段と、合成用画像生成手段と、手書き合成画像生成手段と、手書き合成画像を出力する出力部とを備えることとしている。プレビュー画像生成手段は、元画像のプレビュー画像を生成して表示部に表示する。手書き画像生成手段は、操作部に入力された操作に応じて手書き画像を生成し、手書き画像をプレビュー画像上に重ねて表示部に表示する。合成用画像生成手段は、手書き画像に基づいて合成用画像を生成する。手書き合成画像生成手段は、元画像に合成用画像を合成して手書き合成画像を生成する。ここで、合成用画像生成手段は、プレビュー画像および元画像のサイズの比率に応じて手書き画像上の点の位置および大きさを変更することによって合成用画像を生成することを特徴としている。
【０００５】
特許文献２に開示の画像形成装置は、原稿から読み込まれた画像情報を、画像情報の出力形式を規定する項目情報を表示する表示部と項目情報を入力する入力部を有する操作パネルから、入力された項目情報に基づいて出力する。画像形成装置は、項目入力手段と、プレビュー画像生成手段と、プレビュー画像表示手段と、動作入力手段と、動作認識手段とを備える。項目入力手段は、操作パネルの入力部からの項目情報の入力を受け付ける。プレビュー画像生成手段は、項目入力手段で入力された項目情報を視覚的に表したプレビュー画像情報を生成する。プレビュー画像表示手段は、プレビュー画像生成手段で生成したプレビュー画像情報を操作パネルの表示部に表示する。動作入力手段は、プレビュー画像表示手段でプレビュー画像情報が表示された操作パネルから項目情報の指示を示す動作情報の入力を受け付ける。動作認識手段は、動作入力手段で入力された動作情報を項目情報に変換する。ここで、項目入力手段は、さらに動作認識手段で変換された項目情報の入力を受け付けることを特徴としている。
【先行技術文献】
【特許文献】
【０００６】
【特許文献１】特開２０１４−２３９２８０号公報
【特許文献２】特開２００６−４１９４７号公報
【発明の概要】
【発明が解決しようとする課題】
【０００７】
特許文献１に開示の技術は、操作部に入力された操作に応じて手書き画像を生成し、この手書き画像を元の画像に合成することとしている。また、特許文献２に開示の技術は、操作パネルの入力部からの項目情報の入力を受け付け、動作情報を項目情報に変換して受け付けることとしている。
【０００８】
これら特許文献１および特許文献２に開示の技術によると、ユーザーが合成画像を形成する際には、合成させる手書きの画像を画像形成装置に入力するために、画像形成装置の近辺にユーザーが滞在しなければならないこととなる。このような状況では、合成画像を生成する際のユーザーの行動が制約されることになり、ユーザーの利便性が損なわれることとなる。また、合成画像を形成する際に、実際に原稿に手書き画像を直接描いて原稿を汚染させてしまうことも回避することが求められる。
【０００９】
この発明の目的は、合成画像を形成する際に、ユーザーの利便性を向上させることができる合成画像形成システムを提供することである。
【課題を解決するための手段】
【００１０】
この発明に係る合成画像形成システムは、原稿の画像データに対して、取得した画像データを合成して合成画像を形成する。合成画像形成システムは、画像を形成する画像形成装置と、ペン型端末と、ウェアラブル端末とを含む。ペン型端末は、ユーザーの操作によって原稿上に画像の軌跡を描くことができる。ウェアラブル端末は、画像形成装置と通信可能である。ウェアラブル端末は、ユーザーに装着されてユーザーの視界の情報を取得する。ウェアラブル端末は、ウェアラブル端末画像データ取得部と、ウェアラブル端末送信部とを備える。ウェアラブル端末画像データ取得部は、ユーザーの視界の情報のうち、原稿の輪郭を輪郭画像データとして取得し、原稿上に描かれたペン型端末による画像の軌跡を軌跡画像データとして取得する。ウェアラブル端末送信部は、ウェアラブル端末画像データ取得部により取得された輪郭画像データ、および軌跡画像データを画像形成装置に送信する。画像形成装置は、画像読み取り部と、受信部と、画像データ合成部と、出力部とを備える。画像読み取り部は、原稿の画像データを読み取り原稿画像データとして読み取る。受信部は、ウェアラブル端末送信部により送信された輪郭画像データ、および軌跡画像データを受信する。画像データ合成部は、画像読み取り部により読み取られた読み取り原稿画像データに、受信部により受信した輪郭画像データに基づいて軌跡画像データを合成する。出力部は、画像データ合成部により合成された合成画像データを出力する。
【発明の効果】
【００１１】
このような合成画像形成システムによると、合成画像を形成する際に、ユーザーの利便性を向上させることができる。
【図面の簡単な説明】
【００１２】
【図１】この発明の一実施形態に合成画像形成システムの外観を示す概略図である。
【図２】図１に示す合成画像形成システムの構成を示すブロック図である。
【図３】図１および図２に示す合成画像形成システムを用いて原稿に手書き画像を合成する場合の処理の流れを示すフローチャートである。
【図４】手書き画像を示す図である。
【図５】この発明の他の実施形態に合成画像形成システムの外観を示す概略図である。
【図６】図５に示す合成画像形成システムの構成を示すブロック図である。
【発明を実施するための形態】
【００１３】
以下、この発明の実施の形態を説明する。図１は、この発明の一実施形態に合成画像形成システム２４の外観を示す概略図である。図２は、図１に示す合成画像形成システム２４の構成を示すブロック図である。
【００１４】
図１および図２を参照して、合成画像形成システム２４は、原稿５１の画像データに対して、取得した画像データを合成して合成画像を形成する。合成画像形成システム２４は、画像を形成する画像形成装置としての複合機１１と、ウェアラブル端末３１と、ペン型端末４１とを含む。ペン型端末４１は、ユーザーの操作によって、原稿５１上に画像の軌跡を描くことができる。すなわち、ユーザーは、ペン型端末４１を操作し、インキ等によって原稿５１を汚染させずに、注意書きや線引き等、原稿５１上に文字や図形といった手書きの画像を描くことができる。このような合成画像形成システム２４は、例えば、会議の場面等において採用される。
【００１５】
ここでまず、複合機１１の構成について説明する。複合機１１は、画像処理に関し、複写機能、プリンター機能、ファクシミリ機能等、複数の機能を有する。複合機１１は、複合機制御部１２と、操作部１３と、画像読み取り部１４と、用紙に画像を形成して印刷する出力部としての画像形成部１５と、給紙カセット１６と、ハードディスク１７と、ネットワーク２３と接続するための複合機ネットワークインターフェース部１８と、受信部としての複合機通信部１９とを備える。
【００１６】
複合機制御部１２は、複合機１１全体の制御を行う。操作部１３は、複合機１１側から発信する情報やユーザーの入力内容を表示する表示画面２１を含む。表示画面２１は、タッチパネル型式であり、複合機１１の情報を表示すると共に、入力のインターフェースとなる。操作部１３は、印刷部数や階調等の画像形成の条件や電源のオンまたはオフをユーザーに入力させる。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または不図示の載置台上にセットされた原稿の画像データを読み取る。給紙カセット１６は、複数設けられており、それぞれ複数枚の用紙をそれらの内部に収納可能である。画像形成部１５は、画像読み取り部１４により読み取られた画像データやネットワーク２３を介して送信された画像データを基に、給紙カセット１６から搬送されてきた用紙に画像を形成する。ハードディスク１７は、送信された画像データや入力された画像形成条件等の格納を行う。複合機通信部１９は、外部装置、具体的には、例えば、ウェアラブル端末３１との接続を行うためのインターフェースである。
【００１７】
複合機１１は、画像読み取り部１４により読み取られた原稿の画像データを用いて画像形成部１５において画像を形成することにより、複写機として作動する。また、複合機１１は、ネットワーク２３に接続されたコンピューター（図示せず）等から送信された画像データを用いて、画像形成部１５において画像を形成して印刷することにより、プリンターとして作動する。
【００１８】
複合機制御部１２は、画像データ合成部２５を含む。画像データ合成部２５は、画像読み取り部１４により読み取られた読み取り原稿画像データに、複合機通信部１９により受信した輪郭画像データに基づいて、ペン型端末４１による画像の軌跡となる軌跡画像データを合成する。これについては、後に詳述する。
【００１９】
次に、ウェアラブル端末３１の構成について説明する。ウェアラブル端末３１は、複合機１１と通信可能である。通信方法としては、例えば、ワイファイ（Ｗｉ−ｆｉ）等が用いられる。ウェアラブル端末３１は、いわゆるメガネ型のウェアラブル端末３１である。ウェアラブル端末３１は、ユーザーに装着されてユーザーの視界の情報を取得する。具体的には、ウェアラブル端末３１は、ユーザーの頭部に装着されて、ウェアラブル端末３１に設けられたレンズ越しにユーザーによって見られた景色の情報を画像データとして取得する。
【００２０】
ウェアラブル端末３１は、ウェアラブル端末制御部３２と、ウェアラブル端末記憶部３３と、ウェアラブル端末画像データ取得部３４と、ウェアラブル端末通信部３５とを備える。ウェアラブル端末制御部３２は、ウェアラブル端末３１全体の制御を行う。ウェアラブル端末記憶部３３は、画像データや種々のデータを記憶する。ウェアラブル端末画像データ取得部３４は、ユーザーの視界の情報のうち、原稿５１の輪郭を輪郭画像データとして取得する。また、ウェアラブル端末画像データ取得部３４は、原稿５１上に描かれたペン型端末４１による画像の軌跡を軌跡画像データとして取得する。具体的には、ウェアラブル端末画像データ取得部３４は、備え付けられたカメラ（図示せず）等により、原稿５１および原稿５１上において描かれるペン型端末４１の先端部の軌跡による画像を撮像して、軌跡画像データとして取得する。ウェアラブル端末通信部３５は、ウェアラブル端末画像データ取得部３４により取得された軌跡画像データを複合機１１に送信する。
【００２１】
次に、ペン型端末４１の構成について説明する。ペン型端末４１は、ペン型端末制御部４２と、発光部４３と、スイッチ４４とを備える。ペン型端末制御部４２は、ペン型端末４１全体の制御を行う。発光部４３は、ＬＥＤ（Ｌｉｇｈｔ  Ｅｍｉｔｔｉｎｇ  Ｄｉｏｄｅ）から構成されている。スイッチ４４は、オン状態とされて発光部４３を点灯させ、オフ状態とされて、発光部４３を消灯させる。すなわち、発光部４３は、スイッチ４４をオン状態とすることにより点灯し、スイッチ４４をオフ状態とすることにより消灯する。発光部４３は、ペン型端末４１の先端部に設けられている。ユーザーは、原稿５１上に画像を描く時に、スイッチ４４をオン状態として発光部４３を点灯させ、画像を描き切った後に、スイッチ４４をオフ状態として発光部４３を消灯させる。すなわち、発光部４３の発光中に原稿５１上で描かれる光の軌跡が、原稿５１上に描かれる手書きの画像として認識される。この場合、原稿５１には、何も描かれないこととなる。
【００２２】
次に、この発明の一実施形態に係る合成画像形成システム２４を用いて、原稿５１の画像に手書き画像を合成する場合について説明する。
【００２３】
図３は、図１および図２に示す合成画像形成システム２４を用いて原稿５１に手書き画像を合成する場合の処理の流れを示すフローチャートである。図３を参照して、まず、複合機通信部１９と、ウェアラブル端末通信部３５との間の通信を確立させる（図３において、ステップＳ１１、以下、「ステップ」を省略する）。
【００２４】
次に、ユーザーは、ペン型端末４１を用いて原稿５１上に手書き画像を描く。この場合、ペン型端末４１のスイッチ４４をオン状態にして、発光部４３を発光させた後に、原稿５１上に手書き画像を描く。ここでは、ユーザーは、原稿５１上に大きく平仮名の「あ」という文字を描いたとする。描いた後に、スイッチ４４をオフ状態にして発光部４３を消灯する。なお、この段階においては、ユーザーは、複合機１１の近傍にいる必要はなく、複合機１１とウェアラブル端末３１とが通信可能な距離に滞在していれば良い。また、ペン型端末４１は、原稿５１に実際にインキ等を用いて画像を描く訳ではないので、原稿５１は汚染されず、そのままの状態を維持することができる。
【００２５】
そうすると、ウェアラブル端末画像データ取得部３４は、ユーザーの視界の情報のうち、原稿５１の輪郭の画像データを取得する。また、ウェアラブル端末画像データ取得部３４は、ユーザーの視界の情報のうち、原稿５１上に描かれたペン型端末４１による画像の軌跡を軌跡画像データとして取得する（Ｓ１２）。この場合、ペン型端末４１の発光部４３が光っている間に描かれた光の軌跡を画像として認識して取得する。
【００２６】
図４は、手書き画像を示す図である。図４を参照して、ウェアラブル端末画像データ取得部３４は、手書き画像として平仮名の「あ」という文字の画像の軌跡を、軌跡画像データ５２として取得する（Ｓ１２）。また、ウェアラブル端末画像データ取得部３４は、原稿５１の輪郭についても、輪郭画像データ５３として取得する。すなわち、ウェアラブル端末画像データ取得部３４は、軌跡画像データ５２に加え、原稿５１の輪郭画像データ５３、および原稿５１における軌跡画像データ５２の位置の情報についても、取得することになる。図４においては、輪郭画像データ５３を破線で示している。
【００２７】
その後、ウェアラブル端末通信部３５は、取得した軌跡画像データ５２および輪郭画像データ５３を、複合機通信部１９に送信する（Ｓ１３）。複合機通信部１９は、送信された軌跡画像データ５２および輪郭画像データ５３を受信する。そして、ハードディスク１７において軌跡画像データ５２および輪郭画像データ５３を一旦記憶する（Ｓ１４）。
【００２８】
次に、ユーザーは、ＡＤＦ２２に原稿５１をセットする。そして、原稿５１の画像データを画像読み取り部１４によって読み取らせる（Ｓ１５において、ＹＥＳ）。なお、ここで、読み取られる原稿の画像データは、もちろん手書き画像が描かれていない原稿５１の画像データである。そうすると、複合機１１は、原稿５１の画像データを画像読み取り部１４によって読み取らせた読み取り原稿画像データ５４を取得する（Ｓ１６）。取得された読み取り原稿画像データ５４についても、図４に図示している。
【００２９】
その後、画像データ合成部２５は、画像読み取り部１４により読み取られた読み取り原稿画像データ５４に、複合機通信部１９により受信した輪郭画像データ５３に基づいて、軌跡画像データ５２を合成する（Ｓ１７）。この場合、輪郭画像データ５３の輪郭と、読み取り原稿画像データ５４の輪郭とを合わせ、取得された軌跡画像データ５２の位置の情報に応じて、読み取り原稿画像データ５４に軌跡画像データ５２を合成する。合成された合成画像データ５５についても、図４中に図示している。合成画像データ５５については、ペン型端末４１で「あ」と手書きされた手書きの文字画像５６が、読み取り原稿画像データ５４の中央領域に合成された構成である。なお、画像データ合成部２５による画像の合成については、操作部１３を介したユーザーの要求のタイミング等に基づいて行われる。
【００３０】
その後、合成された合成画像データ５５に基づいて、画像形成部１５は、用紙に画像を形成して印刷する（Ｓ１８）。そうすると、原稿５１の画像に平仮名「あ」の文字が合成された合成画像が出力される。
【００３１】
このような合成画像形成システム２４によれば、ウェアラブル端末通信部３５から送信され、複合機通信部１９で受信された軌跡画像データ５２を、輪郭画像データ５３に基づいて、画像読み取り部１４によって読み取られた読み取り原稿画像データ５４に合成し、出力することとしている。そうすると、ユーザーは、ユーザーによって描かれた手書きの画像を合成する際に、複合機１１の近傍に滞在する必要はなくなる。また、原稿５１へ実際にユーザーが手書きで画像を書き込まなくとも、画像を合成することができる。したがって、このような合成画像形成システム２４によると、合成画像を形成する際に、ユーザーの利便性を向上させることができる。
【００３２】
この場合、ウェアラブル端末画像データ取得部３４は、発光部４３による光の軌跡を、軌跡画像データ５２として取得するため、より明確に軌跡画像データ５２を取得することができる。
【００３３】
なお、上記の実施の形態においては、ウェアラブル端末画像データ取得部３４は、光の軌跡を描かれた軌跡画像データ５２として取得することとしたが、これに限らず、ウェアラブル端末画像データ取得部３４は、光ではなく、ペン型端末４１の先端部の位置の情報を取得し、先端部の位置の移動により描かれた手書き画像を、軌跡画像データ５２として取得することとしてもよい。すなわち、ウェアラブル端末画像データ取得部３４は、ペン型端末４１の先端の動きを、軌跡画像データ５２として取得するよう構成してもよい。
【００３４】
また、上記の実施の形態において、ウェアラブル端末画像データ取得部３４は、ユーザーの視界の情報のうち、軌跡画像データと共に原稿の画像データを取得原稿画像データとして取得することにしてもよい。そして、ウェアラブル端末通信部３５は、ウェアラブル端末画像データ取得部３４により取得された取得原稿画像データを送信し、複合機通信部１９は、ウェアラブル端末通信部３５により送信された取得原稿画像データを受信する。そして、画像データ合成部２５は、複合機通信部１９により受信された取得原稿画像データと、読み取り原稿画像データ５４とをマッチングさせて、軌跡画像データ５２を合成する。このように構成することにしてもよい。こうすることにより、取得原稿画像データと、読み取り原稿画像データ５４とをマッチングさせているため、画像を合成する際の手書き画像が配置される位置の精度を高めて、より精度の高い合成画像を生成することができる。
【００３５】
なお、ペン型端末４１が、複合機１１と通信可能な構成としてもよい。そして、ペン型端末４１自身が、ペン型端末４１により描かれる画像を複合機１１に送信して画像を合成することにしてもよい。
【００３６】
図５は、この場合の合成画像形成システム２６の外観を示す概略図である。図６は、図５に示す合成画像形成システム２６の構成を示すブロック図である。なお、図５および図６に示す場合において、図１および図２と同等の構成については同一の符号を付して、それらの説明を省略する。
【００３７】
図５および図６を参照して、この発明の他の実施形態に係る合成画像形成システム２６は、原稿５１の画像データに対して、取得した画像データを合成して合成画像を形成する。合成画像形成システム２６は、複合機１１と、ウェアラブル端末３６と、ペン型端末６１とを含む。
【００３８】
ペン型端末６１は、複合機１１と通信可能である。ペン型端末６１は、ユーザーの操作によって原稿５１上に画像の軌跡を描くことができる。
【００３９】
ここで、ペン型端末６１の構成について説明する。ペン型端末６１は、ペン型端末制御部６２と、ペン型端末記憶部６３と、ペン型端末画像データ取得部６４と、ペン型端末通信部６５とを備える。ペン型端末制御部６２は、ペン型端末６１全体の制御を行う。ペン型端末記憶部６３は、種々のデータを記憶する。ペン型端末画像データ取得部６４は、ペン型端末６１によって描かれた手書きの画像データを取得する。具体的には、図示しないスイッチをオン状態としてペン型端末６１により原稿５１上に手書き画像を書き始める。その後、手書き画像を書き終えた後、スイッチをオフ状態とする。そして、ペン型端末画像データ取得部６４は、オン状態となっている間にペン型端末６１によって描かれた画像の軌跡を、軌跡画像データ５２として取得する。なお、この場合、ペン型端末６１の先端部は、画像を描いている間、点灯していてもよいが、必ずしも点灯する必要はない。ペン型端末通信部６５は、ペン型端末画像データ取得部６４により取得された軌跡画像データ５２を複合機１１に送信する。
【００４０】
また、ウェアラブル端末３６に備えられるウェアラブル端末画像データ取得部３７は、原稿５１の輪郭の画像を輪郭画像データ５３として取得する。そして、ウェアラブル端末通信部３５は、ウェアラブル端末画像データ取得部３７により取得された輪郭画像データ５３を複合機１１に送信する。
【００４１】
次に、この発明の他の実施形態に係る合成画像形成システム２６を用いて、原稿５１上に描かれた手書き画像を合成する場合について説明する。
【００４２】
まず、複合機通信部１９と、ウェアラブル端末通信部３５およびペン型端末通信部６５との間の通信をそれぞれ確立させる。
【００４３】
その後、ペン型端末６１により、原稿５１上に手書き画像を描く。そうすると、ペン型端末画像データ取得部６４は、手書き画像に基づく軌跡画像データ５２を取得する。また、ウェアラブル端末画像データ取得部３７は、原稿５１の輪郭から、輪郭画像データ５３を取得する。このペン型端末画像データ取得部６４による軌跡画像データ５２の取得、およびウェアラブル端末画像データ取得部３７による輪郭画像データ５３の取得は、同じタイミングとなる。
【００４４】
その後、ペン型端末通信部６５は、取得した軌跡画像データ５２を、複合機通信部１９に送信する。また、ウェアラブル端末通信部３５は、取得した輪郭画像データ５３を、複合機通信部１９に送信する。複合機通信部１９は、送信された軌跡画像データ５２および輪郭画像データ５３を受信する。そして、ハードディスク１７において、軌跡画像データ５２および輪郭画像データ５３を一旦記憶する。その後の画像データの合成といった処理は、上記した図３に示す場合と同等であるため、それらの説明を省略する。
【００４５】
このような構成によっても、合成画像を形成する際に、ユーザーの利便性を向上させることができる。この場合、ペン型端末６１自身が描かれた画像を軌跡画像データ５２として取得し、複合機１１に送信するので、より精度よく手書きの画像データを取得することができる。
【００４６】
なお、上記の実施の形態においては、出力部は、用紙に画像を形成して印刷する画像形成部１５を含むこととしたが、これに限らず、画像データ合成部２５によって合成された合成画像データを、ネットワーク２３を介して接続される外部装置に送信することにより、画像データファイルとして出力することとしてもよい。
【００４７】
また、上記の実施の形態においては、ＡＤＦ２２を用いて原稿５１を搬送して読み取り原稿画像データ５４を取得することとしたが、これに限らず、載置台に原稿５１を載せて画像読み取り部１４によってスキャンし、読み取り原稿画像データ５４を取得するようにしてもよい。
【００４８】
なお、上記の実施の形態においては、軌跡画像データを取得した後、画像読み取り部１４により原稿５１の画像データを読み取らせて画像データを合成することとしたが、これに限らず、画像読み取り部１４により原稿５１の画像データを予め読み取らせた後、これを一旦ハードディスク１７に記憶し、その後ペン型端末４１、６１により描かれ、取得された軌跡画像データを合成することとしてもよい。こうすることによっても、よりユーザーの利便性の向上を図ることができる。
【００４９】
また、以下のような構成としてもよい。原稿５１が複数枚存在する場合において、原稿５１のそれぞれに対してペン型端末４１、６１による画像の軌跡を軌跡画像データとして取得した際に、ペン型端末４１、６１により軌跡画像データが取得された原稿５１の画像データを併せて認識させておく。その後、画像読み取り部１４で複数の原稿５１を読み取らせ、読み取られた複数の原稿５１の読み取り原稿画像データ５４のそれぞれに対して軌跡画像データとして取得された画像を合成することにしてもよい。
【００５０】
なお、画像読み取り部１４において読み取る原稿５１の順序が、いわゆる順序通りでなくともよい。この場合、ウェアラブル端末画像データ取得部３４、３７において、軌跡画像データ５２、および輪郭画像データ５３以外に、原稿５１の画像データそのものも取得する構成を採用することにより、対応することができる。この場合、取得する原稿５１の画像データについては、例えば、サムネイル画像として縮小されたような概略的な画像データであってもよい。
【００５１】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５２】
この発明に係る合成画像形成システムは、合成画像を形成する際のユーザーの利便性の向上が要求される場合に、特に有効に利用される。
【符号の説明】
【００５３】
１１  複合機、１２  複合機制御部、１３  操作部、１４  画像読み取り部、１５  画像形成部、１６  給紙カセット、１７  ハードディスク、１８  複合機ネットワークインターフェース部、１９  複合機通信部、２１  表示画面、２２  ＡＤＦ、２３  ネットワーク、２４，２６  合成画像形成システム、２５  画像データ合成部、３１，３６  ウェアラブル端末、３２  ウェアラブル端末制御部、３３  ウェアラブル端末記憶部、３４，３７  ウェアラブル端末画像データ取得部、３５  ウェアラブル端末通信部、４１，６１  ペン型端末、４２，６２  ペン型端末制御部、４３  発光部、４４  スイッチ、５１  原稿、５２  軌跡画像データ、５３  輪郭画像データ、５４  読み取り原稿画像データ、５５  合成画像データ、５６  文字画像、６３  ペン型端末記憶部、６４  ペン型端末画像データ取得部、６５  ペン型端末通信部。
【図１】
2017200145.tif 000003
【図２】
2017200145.tif 000004
【図３】
2017200145.tif 000005
【図４】
2017200145.tif 000006
【図５】
2017200145.tif 000007
【図６】
2017200145.tif 000008